(57)【要約】  本発明により、トレハロース及び／又は別殺菌した還元性糖類を培地に含有することを特徴とするマツタケ菌床栽培用培地、当該培地を使用したマツタケ菌糸の培養方法並びにマツタケ子実体の菌床栽培方法が提供される。本発明において、還元性糖類としてはグルコース及び／又は果糖が例示される。また、本発明により、マツタケ菌糸がマツタケ菌床栽培用培地の表面に達する前に、培地表面部を除去することを特徴とするマツタケ子実体原基の誘導・形成方法、更にオートミールを含有することを特徴とするマツタケ子実体原基誘導促進物質が提供される。更に、本発明によりマツタケ子実体原基の同定方法が提供される。【特許請求の範囲】
【請求項１】
マツタケ菌床栽培用のマツタケ菌糸培養方法であって、トレハロース及び／又は別殺菌した還元性糖類をマツタケ菌床栽培用培地に含有せしめることを特徴とするマツタケ菌糸の培養方法。
【請求項２】
還元性糖類がグルコース及び／又は果糖である請求項１記載のマツタケ菌糸の培養方法。
【請求項３】
還元性糖類を１〜６０重量％培地に含有せしめる請求項１記載のマツタケ菌糸の培養方法。
【請求項４】
トレハロースを１〜３０重量％培地に含有せしめる請求項１記載のマツタケ菌糸の培養方法。
【請求項５】
トレハロース及び／又は別殺菌した還元性糖類を含有することを特徴とするマツタケ菌床栽培用培地。
【請求項６】
還元性糖類がグルコース及び／又は果糖である請求項５記載のマツタケ菌床栽培用培地。
【請求項７】
還元性糖類を１〜６０重量％含有する請求項５記載のマツタケ菌床栽培用培地。
【請求項８】
トレハロースを１〜３０重量％含有する請求項５記載のマツタケ菌床栽培用培地。
【請求項９】
請求項５記載のマツタケ菌床栽培用培地を用いることを特徴とするマツタケ子実体の菌床栽培方法。
【請求項１０】
マツタケ菌糸がマツタケ菌床栽培用培地の表面に達する前に、培地表面部を除去することを特徴とするマツタケ子実体原基の誘導方法。
【請求項１１】
除去する培地表面部が、菌糸が実質的に生育していない表面部である請求項１０記載のマツタケ子実体原基の誘導方法。
【請求項１２】
マツタケ菌糸がマツタケ菌床栽培用培地の表面に達する前に、培地表面部を除去することを特徴とするマツタケ子実体原基の形成方法。
【請求項１３】
除去する培地表面部が、菌糸が実質的に生育していない表面部である請求項１２記載のマツタケ子実体原基の形成方法。
【請求項１４】
マツタケ子実体原基誘導促進物質としてオートミールを使用することを特徴とするマツタケ子実体原基の誘導方法。
【請求項１５】
オートミールが燕麦又はその加工処理品である請求項１４記載のマツタケ子実体原基の誘導方法。
【請求項１６】
オートミールを含有することを特徴とするマツタケ子実体原基誘導促進剤。
【請求項１７】
オートミールが燕麦又はその加工処理品である請求項１６記載のマツタケ子実体原基誘導促進剤。
【発明の詳細な説明】
【技術分野】
【０００１】
本発明は、良好な菌糸成長を行なうことのできるマツタケ（Ｔｒｉｃｈｏｌｏｍａ  ｍａｔｓｕｔａｋｅ）菌糸の培養方法、マツタケ菌床栽培用培地、当該培地を用いるマツタケ子実体の菌床栽培方法、マツタケ子実体原基の誘導方法、マツタケ子実体原基の形成方法、及びマツタケ子実体原基誘導促進物質に関する。
【背景技術】
【０００２】
マツタケの人工的な栽培は、これまでにさまざまな試みがなされ、多くの報告があるが、再現性よくマツタケを人工栽培したという成功例はない。マツタケの人工的な栽培が非常に困難な理由のひとつは、マツタケは死んだ生物を分解して生きる力、すなわち腐生性を持っておらず、アカマツの根に菌根を作ってアカマツを宿主とし、アカマツから糖類を摂取するという特殊な栄養のとり方をする菌根性のキノコであるためといわれている。【０００３】
また、マツタケの人工的な栽培において、子実体形成の前段階である菌床表面に現れる子実体原基の形成に関する報告がいくつかなされている。しかしながら、子実体原基と一般に呼んでいる原基様菌糸塊について科学上明確な判断や根拠となる基準はなく、各個人の経験や見た目等の曖昧な判断に委ねられているにすぎない。
【発明の開示】
【発明が解決しようとする課題】
【０００４】
本発明の目的は、マツタケの菌床栽培に使用できる菌糸成長の旺盛なマツタケ菌糸の培養方法、当該培養に使用する培地、及び当該培地を使用するマツタケ子実体の人工的な菌床栽培方法、マツタケ子実体原基の誘導方法、及びマツタケ子実体原基の形成方法等を提供することにある。更に、マツタケ子実体原基の同定方法が提供される。
【課題を解決するための手段】
【０００５】
本発明者らは、マツタケの人工的な栽培方法について鋭意検討した結果、培地にトレハロース及び／又は別殺菌した還元性糖類を含有させることで菌糸成長が活性化されること、また、培地にオートミールを添加することによりマツタケ子実体原基形成が誘導・促進されることを見出し、本発明を完成させた。【０００６】
本発明を概説すれば、本発明の第１の発明は、トレハロース及び／又は別殺菌した還元性糖類をマツタケ菌床栽培用培地に含有せしめることを特徴とする、マツタケ菌床栽培用のマツタケ菌糸培養方法に関する。第１の発明において、還元性糖類としてグルコース及び／又は果糖が使用でき、本発明の態様において、還元性糖類を１〜６０重量％培地に含有せしめるマツタケ菌糸の培養方法、またトレハロースを１〜３０重量％培地に含有せしめるマツタケ菌糸の培養方法が提供される。【０００７】
本発明の第２の発明は、トレハロース及び／又は別殺菌した還元性糖類を含有することを特徴とするマツタケ菌床栽培用培地に関する。第２の発明において、還元性糖類としてグルコース及び／又は果糖が使用でき、本発明の態様として、還元性糖類を１〜６０重量％含有するマツタケ菌床栽培用培地、またトレハロースを１〜３０重量％含有するマツタケ菌床栽培用培地が提供される。【０００８】
本発明の第３の発明は、本発明の第２の発明のマツタケ菌床栽培用培地を用いることを特徴とするマツタケ子実体の人工的な菌床栽培方法に関する。【０００９】
本発明の第４の発明は、マツタケ菌糸がマツタケ菌床栽培用培地の表面に達する前に、培地表面部を除去することを特徴とするマツタケ子実体原基の誘導方法に関する。第４の発明において、除去する培地表面部は菌糸が実質的に生育していない表面部であることが好ましい。【００１０】
本発明の第５の発明は、マツタケ菌糸がマツタケ菌床栽培用培地の表面に達する前に、培地表面部を除去することを特徴とするマツタケ子実体原基の形成方法に関する。第５の発明において、除去する培地表面部は菌糸が実質的に生育していない表面部であることが好ましい。【００１１】
本発明の第４、第５の発明において、培地表面部の除去により新たに露出した培地表面にフェルト状の菌糸マットの形成が始まり、マットの表面に米粒状の菌糸の塊、すなわち子実体原基が誘導・形成される。この原基は次第に大きくなり、子実体に分化する。【００１２】
本発明のマツタケ子実体原基の誘導方法又は形成方法において、その培養工程を２段階で実施することが好ましい。例えば、下層の培地として菌床栽培用培地や固形培地を用いて菌糸を培養した後で、その培養物の上に、上層の培地として本発明のマツタケ菌床栽培用培地をのせて更に培養を実施した後に、培地表面部を除去することもできる。また菌糸を培養した培養物の一部を別容器に移し、その上に上層の培地をのせて培養を実施した後で、培地の表面部を除去することもできる。また、これら上層の培地に本発明のマツタケ子実体原基誘導促進剤を含有させてもよい。すなわち、本発明の子実体原基の誘導方法は、下方から上方への菌糸伸長を行う培養手段によって好適に実施される。ここで、下層の培地として本発明のマツタケ菌床栽培用培地又はゲル状の固形培地を使用することが好ましい。下層の培地として本発明のマツタケ菌床栽培用培地又はゲル状の固形培地を使用し、当該培地に種菌としてマツタケ菌糸培養物を接種すると、当該培地に菌糸が蔓延して菌糸層が形成される。次に、その上に前記上層の培地をのせ、更なる培養に供して本発明の子実体原基の誘導方法又は形成方法を実施することにより、再現性よく子実体原基を誘導・形成させることができる。【００１３】
本発明者らは、菌糸の伸長方向の先端で、子実体原基の誘導・形成への変化が生じることを見出した。すなわち本発明の別の態様において、下層となる培地に種菌を接種し、菌糸が生育した後で、当該下層となる培地の上に上層となる本発明のマツタケ菌床栽培用培地を乗せることによって、下層から上層に菌糸成長させることを特徴とするマツタケ菌糸の下面接種方法、マツタケ子実体原基の誘導方法及び形成方法が提供される。また培地表面の少なくとも一部は種菌で覆わないことを特徴とするマツタケ子実体原基の誘導方法及び形成方法も提供される。この場合には、下記記載の本発明の第６の発明に使用するマツタケ子実体原基誘導促進物質を培地に含有させることが好適である。【００１４】
また、本発明により、菌床栽培用容器内の空気を新鮮な容器外の空気と無菌的に交換するマツタケ子実体原基の誘導方法が提供される。さらに、本発明により、菌床栽培用容器内の空気を新鮮な容器外の空気と無菌的に交換するマツタケ子実体原基の形成方法が提供される。これらの発明は、前記本発明の第４及び／又は第５の発明と組み合わせて実施されることが好ましい。【００１５】
本発明の第６の発明は、マツタケ子実体原基誘導促進物質として、オートミール、すなわち燕麦、その加工処理品、及び／又はこれらと同等の活性をもつ物質を使用することを特徴とするマツタケ子実体原基の誘導方法に関する。加工処理品としては、脱穀してもみ穀を除いた燕麦を押しつぶしたもの、細断したもの、粉砕したもの、挽いた粉体などが挙げられ、オートミールの名称で市販されているものを簡便に使用できる。オートミールと同等の活性をもつ物質について、本願明細書に開示の方法に従えば簡便にその活性を測定することができ、本発明に使用できることは当然である。【００１６】
本発明の第７の発明は、オートミールを含有することを特徴とするマツタケ子実体原基誘導促進剤に関するものであって、マツタケ子実体原基誘導促進剤はオートミール、すなわち燕麦及び／又はその加工処理品を含有していればよい。当該マツタケ子実体原基誘導促進剤を培地などに含有させることができる。【００１７】
また、本発明によりトレハロース高含有培地を使用するマツタケの人工的な栽培法が提供される。当該トレハロース高含有培地を使用することによりマツタケ菌糸のトレハロース代謝系が活性化され、子実体形成に必要かつ充分な量のトレハロースの供給により、呈味性にも優れたマツタケ子実体の栽培が可能になる。【００１８】
また、本発明の別の態様として、
マツタケ菌床栽培用培地（Ａ培地という）を、トレハロース及び／又は別殺菌した還元性糖類を含有する培地（Ｂ培地という）に接触させる工程を包含するマツタケ菌糸の培養方法であって、前記の工程が
（１）Ａ培地での菌糸培養後、その培養物を固形状のＢ培地の上に置く、
（２）Ａ培地での菌糸培養後、その培養物の上に固形状のＢ培地をのせる、
（３）Ａ培地での菌糸培養後、その培養物を液体状のＢ培地に漬け込む、
（４）Ａ培地での菌糸培養後、その培養物に液体状のＢ培地を添加する、及び
（５）Ａ培地での菌糸培養後、その培養物を細断し、別のＡ培地、ならびに液体状及び／又は固形状のＢ培地と混合する、
からなる工程群より選択される少なくとも１つの工程であることを特徴とするマツタケ菌糸の培養方法を提供する。【００１９】
また、更に本発明の別の態様として、
Ａ培地の下方、上方、及び／又は内部にＢ培地を接触させる工程を包含するマツタケ菌糸の培養方法であって、前記の工程が
（６）Ａ培地を固形状のＢ培地の上にのせ、Ａ培地にマツタケの種菌を接種し培養する、
（７）Ａ培地にマツタケの種菌を接種した後で、Ａ培地の上方に固形状のＢ培地をのせ培養する、
（８）Ａ培地に、細断した固形状のＢ培地を混合した後で、マツタケの種菌を接種し培養する、
（９）鹿沼土、赤玉土、ピートモス、腐葉土、バーミキュライト、バーク堆肥からなる群より選択される少なくとも１つの基材の上にのせたＡ培地に、液体状のＢ培地を添加し、当該基材の層に液体状のＢ培地を充分保持させた後で、マツタケの種菌を接種し培養する、及び、
（１０）固形状のＢ培地にマツタケの種菌を接種して培養し、その上にＡ培地をのせて培養する
からなる工程群より選択される少なくとも１つの工程であることを特徴とするマツタケ菌糸の培養方法を提供する。当該培養方法により、マツタケの原基を誘導することが可能となる。【００２０】
上記（１）〜（１０）の工程に使用されるＢ培地中の糖濃度は、好適には、還元性糖類としてグルコース及び／又は果糖を使用する場合は１〜６０重量％、トレハロースを使用する場合は１〜３０重量％の範囲から選択すればよい。また液体培地として調製した後で、菌床栽培用培地に含有させてもよい。なお、Ａ培地は本発明の第２の発明のマツタケ菌床栽培用培地であってもよく、またその他の培地でもよい。【００２１】
また、本発明の別の態様として、マツタケ菌床栽培用培地で菌糸を培養した後に、窒素、リン及びカリウムを含有する植物栽培用液体肥料、又は当該液体肥料及び糖類を含有する液体状の培地を菌床栽培用培地に接触させる工程を包含する、マツタケ菌糸の培養方法も提供される。糖類としては還元性糖類及び／又はトレハロースが例示され、特に好適にはグルコース及び／又はトレハロースが例示される。当該液体肥料としては、ハイポネックス（登録商標：ハイポネックスジャパン社製）等が例示される。【００２２】
また、本発明の別の態様として、培養工程中に菌糸の伸長を低下もしくは停止させる工程を包含するマツタケ子実体の誘導方法が提供され、当該菌糸の伸長の低下もしくは停止の期間にマツタケ子実体への分化が惹起される。当該菌糸の伸長を低下もしくは停止させる条件としては、例えば、培地水分含量を低下させる条件、培養温度を低温にシフトさせる条件等が挙げられる。菌糸の伸長を低下もしくは停止させる期間は、特に限定はないが、１〜６０日間、更に好適には１０〜３０日間であることが好ましい。その後、菌糸の伸長を再開させる条件、例えば培地水分含量を上昇させる条件、培養温度を適温にシフトさせる条件等を上記マツタケ子実体の誘導方法に組み込むことによりマツタケ子実体への分化が進行する。【００２３】
更に、本発明によりオートミール高含有培地を使用するマツタケ子実体原基の形成方法が提供される。当該オートミール高含有培地を使用することによりマツタケ子実体原基形成が盛んとなり、菌糸伸長方向の先端で変化が生じる。また粒上のオートミールを培地に添加した場合、培地表面のオートミール粒上及び粒付近でマツタケ子実体原基形成が盛んとなり、マツタケ子実体の栽培が可能になる。【００２４】
本発明による前記マツタケ菌糸の培養方法により、マツタケ菌糸を菌床栽培用培地の表層から外部に向けて旺盛に噴き出させることができ、その高密度培養が達成されて、マツタケ子実体栽培に好適なマツタケ菌床栽培用培養物が提供される。また、前記マツタケ子実体原基の誘導方法及び前記マツタケ子実体原基の形成方法により、これまで困難であったマツタケの子実体原基を誘導・形成させることができる。【００２５】
また本発明により、マツタケｐｒｉＡ遺伝子発現を指標にする、科学的な根拠に基づくマツタケの子実体原基の同定方法が提供される。当該発明により子実体誘導を行う際の菌床培養又は培地組成等の条件を遺伝子発現量の変化から科学的に最適化する事が可能になるので、本発明はマツタケの人工的な栽培の確立に極めて有用になる。
【発明の効果】
【００２６】
以上、本発明により、マツタケの菌床栽培に使用できる菌糸成長の旺盛なマツタケ菌糸の培養方法、当該培養に使用する培地、マツタケ子実体原基の誘導方法、マツタケ子実体原基の形成方法及び当該培地を使用するマツタケ子実体の人工的な菌床栽培方法が提供される。また、本発明により、これまで困難であったマツタケの子実体原基を誘導し、形成させる方法、及びマツタケ子実体原基誘導促進物質が提供される。更に、マツタケ子実体原基の同定方法が提供される。
【発明を実施するための最良の形態】
【００２７】
以下に本発明について詳細に説明する。
本願明細書において、マツタケ菌床栽培用培地とは、キノコの菌床栽培に使用される菌床栽培用培地を示し、例えば下記に示す公知の培地基材、栄養材、及びその他成分で構成される菌床栽培用培地を示す。当該菌床栽培用培地は、下記の培地調製、容器詰め、及び殺菌工程を経て調製することができる。【００２８】
培地調製とは、キノコの人工的な菌床栽培に使用される培地基材、栄養材、及びその他成分を適宜計量、混合、かく拌し、マツタケの菌床栽培に適した水湿潤状態になるよう加水することによって水分調整するまでの工程をいう。培地基材として、例えば、針葉樹オガクズ、広葉樹オガクズ、チップダスト、ヤマゴケ、ミズゴケ、コーンコブ、綿実殻、バガス、アルファルファ、ビートパルプ、モミガラ、チモシー、オカラ、マメカワ、シリカゲル、多糖類ゲル、高吸水ポリマー、キノコ原木栽培後の廃ホダ木、キノコ菌床栽培後の廃菌床、又はキノコ菌床栽培中の菌糸が蔓延した菌床培地の凍結乾燥物等を使用してもよいが、好適にはスギオガクズを使用する。また、吸水性の高い基材であれば上記以外の材料でもよい。更に、吸水性の良否にかかわらず、当該培地に適宜栄養源等を添加することができる。これらはキノコの人工的な栽培に用いることができるものであれば特に限定はなく、栄養源としてトウモロコシの実、米糠、小麦フスマ、コーンブラン、ホミニーフィード、バンサイ、オカラ、マメカワ、オートミール、松の実、糖類、例えば後述の還元性糖類、トレハロース、マルトシルトレハロース、スクロース、及び／又は可溶性デンプン等を使用することができ、好適にはトウモロコシの実及び／又はオートミール、特に好適にはトウモロコシの実の新鮮物、乾燥物、粉砕物、圧ペン物、加熱圧ペン物、オートミール、及び／又は糖類を使用する。更に、その他成分としてマンニトール等の糖アルコール類、リン酸水素二カリウム、リン酸二水素カリウム、炭酸カルシウム、クエン酸、及び／又はメタケイ酸アルミン酸マグネシウム等を添加することもできる。また、上記培地に加えて、その他成分として種々のキノコ子実体の乾燥粉末、マツタケ菌糸の培養物、鹿沼土、赤玉土、ピートモス、腐葉土、バーミキュライト、及び／又はバーク堆肥などの基材を適宜添加するか、もしくは培地の底に敷いて使用することもできる。【００２９】
マツタケ子実体原基誘導促進物質としてオートミールを培地に添加する場合、その効果を発揮する量を添加すればよく、好ましくは１〜６０重量％、好適には３〜５０重量％のオートミールをマツタケ子実体原基発生用固形培地に添加することが好ましい。固形培地にオートミール、例えば未粉砕物、粉砕物、あるいはそれらの混合物を添加することにより、原基形成が促進され、培地表面のオートミール粒上あるいはその周辺で原基の誘導・形成が顕著になる。【００３０】
また、菌床栽培用培地の水分含量は、特に限定はないが、例えば４０〜８０重量％、好適には４５〜７５重量％、より好適には５０〜７０重量％であってもよい。ただし、培地中のマツタケの菌糸の生育が可能な程度の空隙と水分を保持でき、かつ培地が乾燥しない水分含量に適宜調整することが好適である。水分調整した培地の性状を見て、これらの水分含量を適宜設定すればよい。【００３１】
容器詰めとは、培地をキノコの栽培ビン、栽培袋、栽培箱又はフラスコに詰める工程である。具体的には、通常０．１〜１０リットル容の耐熱性広口培養ビン又はフラスコなどに、前記のとおり調製した培地を、例えば１１００ｍＬビンの場合であれば、５５０〜９００ｇ、好ましくは６００〜８５０ｇ圧詰し、更に、圧詰した培地に口径１〜１５ｃｍ程度の穴を１ないし複数個開け、打栓する工程をいう。【００３２】
殺菌とは、培地中のすべての微生物を死滅させる工程であって、通常、蒸気による常圧殺菌で９８〜１００℃、４〜１２時間、又は高圧殺菌で１０１〜１２５℃、好ましくは１１８℃、３０〜１８０分間行われる。【００３３】
また、本願明細書において液体培地は、マツタケの培養に使用される液体培地であれば特に限定はなく、トレハロース、後述の還元性糖類、マルトシルトレハロース、スクロース、及び／又は可溶性デンプン等を糖類として含有し、更に酵母エキス、ポリペプトン、大豆ペプトン、麦芽エキス、バレイショデンプン、ヤマイモ乾燥粉末、種々のキノコ子実体乾燥粉末、マツタケ菌糸培養物、ポテトデキストロース、マンニトール等の糖アルコール、Ｌ−オルニチン、Ｌ−グルタミン、Ｌ−メチオニン、Ｄ−イソロイシン、リン酸二水素カリウム、リン酸水素二カリウム、硫酸マグネシウム、トウモロコシの実の粉末、コーンスティープリカー、オートミール粉末、種々の銅塩（例えば、クエン酸銅、フタル酸銅、酒石酸銅、硫酸銅、塩化銅等）、種々の鉄塩（例えば、フマル酸鉄、クエン酸鉄、塩化鉄、グルコン酸鉄、乳酸鉄、硫酸鉄、リン酸鉄等）、種々のマンガン塩（例えば、塩化マンガン、硫酸マンガン、酢酸マンガン、グルコン酸マンガン、等）、種々の亜鉛塩（例えば、乳酸亜鉛、クエン酸亜鉛、グルコン酸亜鉛、プロピオン酸亜鉛、硫酸亜鉛、塩化亜鉛等）、多糖分解酵素（アミラーゼ、セルラーゼ、グルカナーゼ、キシラナーゼ等）、α−ピネン、及び／又はコラーゲンペプチド等を含有する液体培地が例示される。【００３４】
また、本願明細書において、固形培地としては、前記の液体培地を固化剤で固形化した培地、好適には流動性のないゲル状の固形培地が例示される。固化剤としては、例えば寒天、マンナン、ジェラン、ゼラチン、ケルコゲル等が例示される。前記固形培地は、前記液体培地に更に固化剤を添加することにより調製することができる。当該固形培地中の固化剤の含有量は、液体培地が固形化すれば特に限定はないが、例えば寒天を使用した場合、０．５〜３重量％、好適には１〜２重量％であることが好ましい。【００３５】
本発明により、トレハロース及び／又は別殺菌した還元性糖類を含有するマツタケ菌床栽培用培地（以下、本発明の培地と称する）が提供される。本願明細書において別殺菌とは、培養に供される還元性糖類以外の栄養成分（窒素源となる栄養成分等）及び培地原料とは別に、培養に供される還元性糖類に殺菌処理を施すことを意味する。本発明において還元性糖類として、還元性を示す糖類であれば特に限定はないが、還元性を示す単糖類及び／又は二糖以上の糖類を使用してもよい。還元性を示す単糖類として、例えばグルコース、果糖、キシロース、マンノース、ガラクトース、ラムノース、アラビノース及び／又はフコース等を使用してもよく、特に好適にはグルコース及び／又は果糖を使用してもよい。還元性を示す二糖以上の糖類として、例えば、ラクトース、マルトース、イソマルトース、セロビオース、マルトトリオース、マルトテトラオース及び／又はマルトペンタオース等を使用してもよい。これらの還元性糖類の中でも、グルコース、果糖、及び／又はマルトースが本発明に最も好適である。【００３６】
本発明の培地にトレハロースを添加する場合、前記マツタケ菌床栽培用培地の製造において、トレハロースを水性溶媒、例えば水道水又はイオン交換水などに溶解させたものを添加するか、又はそのまま添加し、混合したものを、容器詰めし、殺菌を施すことができる。【００３７】
本発明の菌床栽培用培地に別殺菌した還元性糖類を使用する場合、前記マツタケ菌床栽培用培地の調製とは別に、当該還元性糖類を容器中にて水性溶媒、例えば水道水又はイオン交換水などに溶解して調製し、前記殺菌条件もしくは同等の効果を示す他の手段（例えば無菌ろ過等）で殺菌した後で、マツタケ菌床栽培用培地に含有させてもよい。【００３８】
本発明の培地がトレハロースを含有する場合、その濃度としては、１〜３０重量％、好適には２〜３０重量％が例示される。また、本発明の培地が別殺菌した還元性糖類を含有する場合、その濃度としては、１〜６０重量％、好適には２〜５０重量％、特に好適には３〜４０重量％が例示される。本発明の培地を使用してマツタケ菌糸の培養を行った場合、菌糸成長が旺盛である。特に、本発明の培地として別殺菌した還元性糖類を含有する培地を使用して菌糸培養を行った場合、別殺菌しない場合と比較して菌糸成長が明らかに旺盛である。さらに、培地中の還元性糖類の含有量が高濃度である場合、その効果の差は顕著となる。また、本発明の培地を用いてマツタケ菌糸の培養を行う際に、好適には、その種菌を調製するための前培養で使用する培地中の糖類は、本発明の培地にて使用するものと同じ糖類であることが好ましい。【００３９】
前記の本発明の培地を使用することにより、菌糸層が厚く、菌糸成長の早いマツタケ菌糸の培養が可能となる。これまで、マツタケ菌糸の培養において高濃度の低分子糖類（単糖、二糖など）を使用することは、培地の浸透圧を上げてマツタケ菌糸の生育を阻害すると考えられていた。しかし、例えばグルコースや果糖を使用する場合、その他の培地成分と別に殺菌すれば高濃度でもマツタケ菌糸の生育を阻害しないばかりか、むしろ菌糸の増殖を促進することを本発明者らは初めて見出した。また、トレハロースのような非還元性の糖の場合はその他の培地成分と混合して加熱殺菌した場合でも、また別殺菌の場合でも、高濃度で菌糸の増殖が促進されることを本発明者らは初めて見出した。すなわち、本発明により、培地に糖成分を高含有し、高効率なマツタケの菌糸培養を可能にする培地が提供され、菌床栽培用培地に厚い菌糸層を有する培養物が得られる。一般にキノコ類は、それぞれのキノコにとって必要な菌糸量以上の菌糸塊となった場合に子実体を形成する。すなわち、菌糸層が厚いことは菌糸量が多いということを意味し、本発明の培地を使用してマツタケ菌糸の培養を行なうことにより、マツタケ子実体を栽培しうる。【００４０】
本発明により、前記の本発明のマツタケ菌床栽培用培地を用いたマツタケ子実体の菌床栽培方法が提供される（以下、本発明の栽培方法と称する）。本発明のマツタケ菌糸の培養方法又は本発明の栽培方法に使用するマツタケ菌株に特に限定はなく、例えば、天然産のマツタケ子実体から分離されたマツタケ菌株又は公知のマツタケ菌株（例えば、ＮＲＢＣ  ３０６０４０、ＮＲＢＣ  ３０７７３、ＮＲＢＣ  ３２８０６、もしくはＮＲＢＣ  ３３１３６等）を使用してもよい。【００４１】
本発明の栽培方法において、マツタケ培養物を種菌として使用してもよい。以下、本発明の栽培方法において使用されうる種菌について説明する。本発明の栽培方法において使用する種菌として液体種菌を使用する場合、公知のキノコの菌糸培養用液体培地、例えば前述の液体培地を使用できる。好適にはトレハロース及び／又は別殺菌した還元性糖類を含有する液体培地にマツタケの菌糸を無菌的に接種し、培養して、種菌が製造される。培養温度としては、菌糸の成長が行われれば特に限定はなく、例えば５〜４０℃、好適には１０〜３５℃、更に好適には１５〜３０℃が例示される。液体種菌の培養は、フラスコやジャーファーメンター等を用いて実施することができる。しかし、大量栽培の場合、より容量が大きく培養日数を短縮できる観点からジャーファーメンター培養が好適である。培養期間は、使用する菌株又は培養スケールによって異なってもよく、特に限定されるものではないが、例えば５〜１００日間であってもよい。培養方法としては、マツタケの菌糸が成長すれば特に限定はないが、静置培養又は振とう培養が挙げられる。あるいは、培地内部でスターラーバーを回転させて培地をかく拌し、培養を実施してもよい。【００４２】
また、本発明の栽培方法に使用する種菌として固体種菌を使用する場合、公知のキノコの菌床栽培に用いられる培地、好適には前記のマツタケ菌床栽培用培地にマツタケの菌糸を無菌的に接種し、培養することで得られた培養物を使用してもよい。培養温度としては、菌糸の成長が可能であれば特に限定はなく、例えば５〜４０℃、好適には１０〜３５℃、更に好適には１５〜３０℃が例示される。培養期間は使用する菌株又は培養スケールによって異なってもよく、特に限定されるものではないが、例えば２０〜５００日間であってもよい。また、本発明の栽培方法において使用する種菌について、シャーレ上で培養した培養物を固体種菌として使用することもできる。【００４３】
このようにして培養したマツタケの液体培養物及び／又は固体培養物を種菌として本発明の栽培方法に用いることができる。【００４４】
以下、一例としてビン栽培による本発明の栽培方法について述べるが、その方法は、培地調製、容器詰め、殺菌、接種、培養、芽出し、生育、及び収穫の各工程からなる。次にこれらを具体的に説明するが、本発明はこの説明の内容に限定されるものではない。【００４５】
培地調製は、前述の本発明の培地調製を参考に実施することができる。容器詰め、及び殺菌についても前述の本発明の菌床栽培用培地の容器詰め、及び殺菌工程を参考に実施することができる。別殺菌された還元性糖類を使用する場合、当該殺菌工程の後に別殺菌された還元性糖類が添加される。このようにして得られた本発明の培地に、糖類やその他栄養源を含有する液体培地又は固体培地を更に添加又は設置することもできる。ここで添加又は設置される液体培地及び固体培地は、トレハロース及び／又は別殺菌した還元性糖類を含有することが好ましい。また、本発明の培地の底部に、鹿沼土、赤玉土、ピートモス、腐葉土、バーミキュライト、及び／又はバーク堆肥などを敷いておくこともできる。【００４６】
接種は、殺菌後に放冷させた培地に前記種菌を無菌的に植え付ける工程である。培地への種菌接種量は、特に限定はないが、例えば１リットルの培地に液体種菌を接種する場合、５〜５００ｍＬ、固体種菌を使用する場合、５〜５００ｇの範囲から適宜選択すればよい。【００４７】
種菌を接種した培地を培養工程に供することによって、菌糸の生育、熟成が行なわれる。通常、種菌接種済みの菌床栽培用培地に、温度５〜４０℃、好適には１０〜３５℃、更に好適には１５〜３０℃、湿度５０〜８０％で菌糸を蔓延させ、更に熟成させる。培養工程は、培地又は培養ビンの容量により適宜設定でき、１１００ｍＬビン栽培の場合、通常５０〜５００日間、好ましくは３００日間前後行われる。また、菌糸培養中に、適当なタイミングで流水ポンプ等により容器内の空気を交換してもよい。更に培養中に、別殺菌したグルコース、果糖、及び／又はトレハロース等の栄養分を培地に新たに添加してもよい。【００４８】
本発明の培養工程において、当該工程中に菌糸の伸長の低下もしくは停止させる操作を加えてもよく、例えば、培地水分含量を低下させる条件、及び／又は培養温度を低温にシフトさせる条件等を組み込んでもよい。菌糸の伸長を停止させる期間は、特に限定はないが、１〜６０日間、更に好適には１０〜３０日間である。その後、菌糸の伸長を再開させる操作、例えば培地水分含量を上昇させる条件、培養温度を適温にシフトさせる条件等を組み込むことにより培養工程を継続することができる。【００４９】
芽出し工程は、マツタケの子実体原基を誘導・形成させる工程である。芽出しを促進するために、培地表面部の除去、菌掻き、加水、加湿、光照射、覆土、及び／又は超音波処理などを実施することができる。また本発明のマツタケ子実体原基誘導促進物質を使用してもよく、この場合、前記の物理的な工程の有無にかかわらず、芽出しを促進することが可能である。【００５０】
覆土材として、赤玉土、鹿沼土、バーミキュライト、石英、パーライト、ガラスビーズ等の無機鉱物質、畑土、森林土壌、山土等の土壌類及び／又はオガクズ、好ましくはスギオガクズ等を使用してもよい。これらの覆土材は単独で使用してもよく、また２種類以上を混合して使用してもよい。また、これらの覆土材はそのまま、もしくは水又は各種栄養源、例えば後述の植物栽培用液体肥料を溶解した水と混合した後で殺菌してから使用される。【００５１】
生育工程とは子実体原基から成熟子実体を形成させる工程であって、通常５〜２５℃、好ましくは１０〜２０℃で湿度６０〜１００％、好ましくは７０〜１００％の条件下、１０〜５０日間栽培を実施することである。生じた成熟子実体を収穫することによって、生育工程が終了する。なお子実体原基誘導・形成後に培養温度を２〜１０℃の範囲で低温シフトさせてもよい。【００５２】
以上、本発明の栽培方法をビン栽培により説明したが、本発明はマツタケの菌床栽培に広く適用できるものであって、上記ビン栽培に限定されるものではない。【００５３】
本発明の子実体原基の誘導方法は、例えば、前記のマツタケ菌床栽培用培地を調製し、容器に詰め、殺菌工程、前述の接種、培養工程に供し、更に培地表面部を除去することにより行われる。ただし、ここで使用されるマツタケ菌床栽培用培地中のトレハロース及び／又は別殺菌した還元性糖類の含有の有無は、特に限定されるものではない。【００５４】
当該誘導方法において培養工程を２段階で行う場合、下層の培地でマツタケ菌糸を培養した後に上層の培地を添加して更に培養を実施すると、マツタケ菌糸は下層の培地と上層の培地の境界面から上方に向かって伸長してゆく。その際、上層の培地の水分が低下し菌糸の生育が遅くなることがあるが、その場合、適宜、水、植物栽培用液体肥料、及び／又は液体培地を１回もしくは複数回（１、２、３、４又は５回、好適には２又は３回）添加すればよい。ここで、植物栽培用液体肥料としては、例えば後述の植物栽培用液体肥料が例示される。【００５５】
当該誘導方法において、除去される培地表面部は、菌糸が実質的に生育していない表面部であることが好ましい。この場合、本発明を特に限定するものではないが、培地表面部はマツタケ菌糸が培地表面に露出する程度に除去される。このような操作を施すことにより、菌床面にてマツタケ原基を誘導することができる。また、当該培養方法において、マツタケ菌糸の培養条件は、菌糸の成長が可能であれば特に限定はなく、例えば前述の培養工程と同様の条件であってもよい。【００５６】
前記の培地表面部が除去された後で、更に、５〜３０℃の範囲で培養を実施することにより子実体原基が誘導される。その後は、前記生育工程と同様に培養を実施し、子実体形成を促すことができる。また原基形成誘導後は、菌床面に対して適宜覆土を行うこともできる。覆土材としては、前述の芽出し工程に使用されるものが使用できる。【００５７】
また、本発明では、別の態様であるマツタケ菌床栽培用培地（Ａ培地）をトレハロース及び／又は別殺菌した還元性糖類を含有する培地（Ｂ培地）に接触させる工程を包含するマツタケ菌糸の培養方法において、例えばＢ培地としてトレハロースを含有する液体培地を調製する場合、前記の液体培地の調製法に従って、前記培地成分から適宜選択される培地成分及びトレハロースを水性溶媒、例えば水道水又はイオン交換水と混合し、更に殺菌処理を施して調製する方法が例示される。また、本発明の培地が別殺菌した還元性糖類を含有する場合、前記培地成分から適宜選択される培地成分を混合したもの、及びこれとは別に還元性糖類を水性溶媒、例えば水道水やイオン交換水に溶解したものを個別に殺菌処理した後で、無菌的に混合して培地調製を行うこともできる。なお、本願明細書において、ゲル状であっても流動性を有する軟性ゲル状のＢ培地は、液体培地に含まれる。【００５８】
Ｂ培地として固形培地を調製する場合、例えば前記のＢ培地として調製した液体培地に固形剤を添加することにより得てもよい。【００５９】
前記Ｂ培地の液体培地及び／又は固形培地をマツタケ菌床栽培用培地と接触させるために、菌床栽培用培地をゲル状の固形培地の上に置く、菌床栽培用培地の上にゲル状の固形培地をのせる、菌床栽培用培地を液体培地に漬け込む、菌床栽培用培地に液体培地を添加する、細断した菌床栽培用培地を固形培地（ゲル状の固形状培地を含む）及び／又は液体培地と混合する等の手段を実施することができる。更に、後述のマツタケ種菌を前記の接触手段を実施した後のマツタケ菌床栽培用培地に接種してもよく、前もって種菌を接種したか又は更に培養を行った菌床栽培用培地を他の培地と接触させてもよい。
また、Ａ培地において、トレハロース及び／又は別殺菌した還元性糖類の含有の有無は、特に限定されるものではない。【００６０】
本発明の培養方法の培養条件は、菌糸の成長が可能であれば特に限定はなく、例えば前述の本発明の栽培方法の培養工程と同様の条件であってもよい。【００６１】
上記マツタケ菌糸の培養方法によりマツタケ菌糸をマツタケ菌床栽培用培地の表層から外部に向けて旺盛に噴き出させることができ、その高密度培養が達成される。菌糸培養におけるこのような現象は通常の菌床培地での培養では確認されるものではなく、本発明者らにより人工的に誘導されるものである。また、当該培養方法により、マツタケの子実体原基を誘導することが可能となる。【００６２】
また、菌糸を培養した本発明のマツタケ菌床栽培用培地に、窒素、リン及びカリウムを含有する植物栽培用液体肥料、又は当該液体肥料及び糖類を含有する液体培地を接触させる工程を包含するマツタケ菌糸の培養方法において、当該液体培地に含有される糖類としては前述の還元性糖類及び／又はトレハロースが例示され、特に好適にはグルコース及び／又はトレハロースが例示される。また当該液体培地としては、当該液体肥料又は当該液体肥料及び糖類を水性溶媒、例えばイオン交換水又は水道水などに溶解させたもの、もしくはこれにリン酸二水素カリウム、硫酸マグネシウム、クエン酸銅、フマル酸鉄、塩化マンガン、及び／又は乳酸亜鉛等の無機塩を更に添加したものが例示される。当該液体用肥料として、好適にはハイポネックス（登録商標）が使用できる。当該方法におけるマツタケ菌糸の培養条件は、菌糸の成長が可能であれば特に限定はなく、例えば前述の培養工程と同様の条件であってもよい。また、当該液体培地の接触は、１回もしくは複数回（１、２、３、４又は５回、好適には２又は３回）実施することができる。当該マツタケ菌糸の培養方法により、マツタケ菌糸を菌床栽培用培地の表層から外部に向けて旺盛に噴き出させることができ、その高密度培養が達成される。【００６３】
本発明者らは、マツタケｐｒｉＡ遺伝子発現を指標とする、科学的な根拠に基づくマツタケの子実体原基の同定方法を提供する。当該方法により子実体誘導を行う際の菌床培養や培地組成等の条件を遺伝子発現量の変化から科学的に最適化する事が可能になるので、当該方法はマツタケの人工的な栽培の確立に極めて有用である。
【実施例】
【００６４】
以下に本発明を実施例をもって示すが、本発明はこれらの実施例の範囲のみに限定されるものではない。なお、特に限定しない限り、以下％は重量％を意味する。【００６５】
実施例１
下記のＡ及びＢの溶液（イオン交換水に溶解）を調製した。
Ａ  糖溶解液（２０％トレハロース、２０％グルコース、もしくは２０％果糖）
Ｂ  ０．４％酵母エキスＤ−３（日本製薬社製）、０．２％ポリペプトンＳ（日本製薬社製）、１％リン酸二水素カリウム、０．１％硫酸マグネシウム、及び２％ケルコゲル（大日本住友製薬社製）
このＡの糖溶解液の適当量及び４５ｍＬのＢの溶液を混合し、トレハロース、グルコース、もしくは果糖がそれぞれ１、２、３、４、５、６、７、８、９及び１０％となるように、各成分を適宜イオン交換水と混合し、最終的に９０ｍＬの培地を調製した。１２０℃、２０分間での殺菌処理後に、それぞれを３枚のシャーレに分注し、平板培地を作製した。【００６６】
また、ＡとＢの溶液をそれぞれ別容器で１２０℃、２０分間殺菌処理した後で、ＡとＢの溶液を前記と同様に混合し、それぞれを３枚のシャーレに分注し、平板培地を作製した。この際の分量の調整には滅菌イオン交換水を使用した。【００６７】
天然産のマツタケ子実体から分離したマツタケ菌株の平板培養物（平板培養菌糸）〔培地組成：２％グルコース、０．１％酵母エキスＮＴ（興人社製）、０．１％ハイチオンエキス（興人社製、酵母エキスの一種）、０．１％コーンスティープリカー（和光純薬社製）、０．０２％Ｌ−オルニチン、０．３％リン酸二水素カリウム、０．０５％硫酸マグネシウム、２．５ｐｐｍクエン酸銅、２．５ｐｐｍフマル酸鉄、０．５ｐｐｍ塩化マンガン、０．５ｐｐｍ乳酸亜鉛、２％圧ペントウモロコシ（飯坂精麦社製）粉末、及び２％寒天（ナカライテスク社製）〕からカップドロッパーを用いて培養物片（直径６ｍｍ）を抜き出し、得られた培養物片１つを上記の平板培地の中央に接種し、２５℃で６０日間静置培養を行った。【００６８】
このようにしてトレハロース含有培地、別殺菌したグルコース又は果糖含有培地を用いた場合、厚い菌糸層を有するマツタケ菌糸の培養が可能となることが認められた。【００６９】
実施例２
（１）種菌の調製
５％トレハロース、５％ハローデックス（林原社製、マルトシルトレハロース）、０．１５％酵母エキスＮＴ、０．１５％ハイチオンエキス、０．１％ポリペプトンＳ、０．０２％Ｌ−オルニチン、０．０２％Ｌ−グルタミン、０．０２％Ｌ−メチオニン、０．３％リン酸二水素カリウム、０．１％リン酸水素二カリウム、０．０５％硫酸マグネシウム、１．５％圧ペントウモロコシ粉末、０．５％オートミール（クエーカー・オーツ社製）粉末、２．５ｐｐｍクエン酸銅、２．５ｐｐｍフマル酸鉄、０．５ｐｐｍ塩化マンガン、及び０．５ｐｐｍ乳酸亜鉛となるように各成分を９００ｍＬのイオン交換水と混合したものを、スターラーバーを入れた２リットルの三角フラスコに入れ、１２０℃で２０分間オートクレーブ処理した。【００７０】
なお、事前に液体培地〔組成は上記記載の培地に０．５％オートミール粉末及び１．６ｋＵα−アミラーゼ（アスペルギルス  オリゼ由来、シグマ社製）を添加したもの〕にマツタケ菌株の平板培養菌糸をくり抜いたもの（直径６ｍｍ）１個を接種し、マツタケ菌糸を培養した。得られたマツタケ菌糸培養物８０ｍＬを上記で調製した培地に接種し、２５℃、５００ｒｐｍで６日間培養して、種菌とした。マツタケ菌株として、天然産のマツタケ子実体から分離した７つの菌株（００２１、００４４、０１０７、０１１７、０１２１、２００６−００４７、２００６−００５１）を使用した。【００７１】
（２）菌床培地の調製
約６ヶ月堆積したスギオガクズ乾燥物５５０ｍＬ（７８ｇ）、圧ペントウモロコシ粉末１６５ｇ、及びオートミール２００ｇを混合した。この混合物に、３６０ｍＬのイオン交換水、２５ｇのトレハロース（固形培地における濃度は３％）、１．８ｇのリン酸水素二カリウム、０．３６ｇのリン酸二水素カリウムの混合物を添加、かく拌し、菌床培地とした。【００７２】
別に、１．５リットルの鹿沼土を５リットルの三角フラスコの底に敷き、その上に、上記の菌床培地をのせ、中央に直径約１０ｃｍの穴をあけ（鹿沼土層には至らない穴）、１２０℃で２時間オートクレーブ処理した。【００７３】
（３）添加用液体培地の調製
７％トレハロース、０．１％酵母エキスＮＴ、０．１％ハイチオンエキス、０．０２％Ｌ−オルニチン、０．０４％Ｌ−グルタミン、０．０１％Ｌ−メチオニン、０．００１％Ｄ−イソロイシン、０．５％リン酸二水素カリウム、０．１％リン酸水素二カリウム、及び０．０５％硫酸マグネシウムとなるように各成分を３００ｍＬのイオン交換水に混合し、１２０℃で２０分間オートクレーブ処理して、添加用液体培地とした。【００７４】
（４）培養の開始
実施例２−（２）に記載の菌床培地のオートクレーブ処理物に、実施例２−（３）に記載の添加用液体培地を全量添加した後で、実施例２−（１）に記載の種菌を５００ｍＬ接種し、２０℃で培養を開始した。培養開始時、鹿沼土層は液体に浸る状態であった。培養開始後２２日目に１００秒間流水ポンプにより吸引して、容器内の空気を交換した。【００７５】
（５）培養経過
培養開始後、菌糸が伸び始め、培養開始後３０日目でマツタケ菌糸が培地全体に蔓延するとともに、培地表層では旺盛な菌糸の噴き出しが観察された。【００７６】
実施例３
（１）種菌の調製
０．１％グルコース、０．１％酵母エキスＮＴ、０．１％ハイチオンエキス、０．３％リン酸二水素カリウム、０．０５％硫酸マグネシウム、２％圧ペントウモロコシ粉末、２．５ｐｐｍクエン酸銅、２．５ｐｐｍフマル酸鉄、０．５ｐｐｍ塩化マンガン、及び０．５ｐｐｍ乳酸亜鉛となるように各成分を１リットルのイオン交換水に混合したものを、スターラーバーを入れた２リットルの三角フラスコに入れ、１２０℃で２０分間オートクレーブ処理した。この培地に、平板培地で培養したマツタケ０１１７株の平板培養菌糸をくり抜いたもの（直径６ｍｍ）１０個を接種し、２０℃、５００ｒｐｍで２２日間培養し、種菌とした。【００７７】
（２）菌床培地の調製
約６ヶ月堆積したスギオガクズ乾燥物１．５リットル（２１４ｇ）、圧ペントウモロコシ粉末２０ｇ、オートミール粉末１０ｇ、松の実２００ｇを混合した。この混合物に、１５６ｍＬのイオン交換水、２０ｇのトレハロース（固形培地中の濃度３．１％）、２０ｇのマルトース（固形培地中の濃度３．１％）、及び１ｍＬの４種の金属塩の混合液（０．０５％クエン酸銅、０．０５％フマル酸鉄、０．０１％塩化マンガン、０．０１％乳酸亜鉛）を混合したものを添加、かく拌し、５リットルの三角フラスコに詰め、その中央に直径約１０ｃｍの穴（容器底から約１ｃｍまで）をあけ、１２２℃で２時間オートクレーブ処理した。【００７８】
（３）培養の開始
実施例３−（２）に記載の菌床培地のオートクレーブ処理物に、実施例３−（１）に記載の種菌を３２０ｍＬ接種し、２０℃で培養を開始した。培養開始後８６日目、１００日目、１１８日目、１３２日目、１４６日目に流水ポンプで１００秒間容器内の空気を交換した。培養開始後１４８日目でマツタケ菌糸は培地全体の約６割に蔓延した。【００７９】
（４）−１  ホンシメジ菌床培養物の凍結乾燥物の調製
ＰＧＹ液体培地（組成：グルコース２．０％（ｗ／ｖ）、ペプトン０．２％（ｗ／ｖ）、酵母エキス０．２％（ｗ／ｖ）、ＫＨ２ＰＯ４０．０５％（ｗ／ｖ）、ＭｇＳＯ４・７Ｈ２Ｏ０．０５％（ｗ／ｖ））１００ｍＬに、Ｌｙｏｐｈｙｌｌｕｍ  ｓｈｉｍｅｊｉ  Ｌａ  ０１−２７株（ＦＥＲＭ  ＢＰ−１０９６０）の菌糸を接種し、２５℃で７日間振とう培養（１００ｒｐｍ）した。培養物２ｍＬを２００ｍＬの同培地に植え継ぎ、７日間振とう培養（１００ｒｐｍ）を行った。その後、更に培養物の全量を１６０リットルの同培地が入った２００リットル容ジャーファーメンター（小松川製作所製）に接種し、６日間かく拌培養（かく拌速度：１００ｒｐｍ、通気量２５リットル／分）を行い、液体種菌を調製した。一方、圧ペントウモロコシ（飯坂精麦社製）及び針葉樹鋸屑のスギオガ〔（有）トモエ物産〕を乾物重量比で２：１（圧ペントウモロコシ：針葉樹鋸屑）に混合し、培地の水分が最終的に６２重量％になるように水を加え十分にかく拌・混合したものを、ポリプロピレン製の広口培養ビン（１１００ｍＬ）にそれぞれ入れ（ビン及びフタを含めた重量合計８００ｇ）圧詰した。圧詰物表面の中央に口径２．０ｃｍの孔、及び圧詰物表面の中央を中心とした直径４ｃｍの円周上に均等に４つの口径１ｃｍの孔（それぞれ深さが１０ｃｍ程度）を開けた。培養ビンにキャップをし、１１８℃で３０分間高圧蒸気殺菌を行い、２０℃まで放冷したものを菌床栽培用培養基（固形培地）とした。この固形培地に上記の液体種菌を約２５ｍＬ接種し、暗所にて温度２０℃、湿度７０〜７５％の条件下、約１１２日間培養し、培地全体に菌糸が蔓延した子実体形成前のホンシメジ菌床培養物を調製した。その後、上記で調製したホンシメジ菌床培養物を掻き出し、凍結乾燥させ、得られた乾燥物を粉砕機で粉砕することにより、ホンシメジ菌床培養物の凍結乾燥物を調製した。【００８０】
（４）−２  培養物をのせるゲルの調製
１０％トレハロース、０．１％コーンスティープリカー、３％ホンシメジ菌床培養物の凍結乾燥物（実施例３−（４）−１で調製）、０．５％リン酸二水素カリウム、０．１％リン酸水素二カリウム、０．０５％硫酸マグネシウム、０．７％ケルコゲルとなるように各成分を７５０ｍＬのイオン交換水と混合し、１２０℃で２０分間オートクレーブ処理した後で、５リットルの三角フラスコ内で固化させた。別に、１０％トレハロース、０．１％コーンスティープリカー、０．５％リン酸二水素カリウム、０．１％リン酸水素二カリウム、０．０５％硫酸マグネシウム、０．７％ケルコゲルとなるように各成分を７５０ｍＬのイオン交換水と混合したものを１２０℃で２０分間オートクレーブ処理したものを上記の５リットルの三角フラスコ内のゲルの上に流し込み固化させ、培養物をのせるゲルとした。【００８１】
（４）−３  添加用固形培地の調製
圧ペントウモロコシ２００ｇ及び１００ｍＬのイオン交換水を混合し、１２０℃で２時間オートクレーブ処理して、添加用固形培地とした。【００８２】
（４）−４  添加用液体培地の調製
１０％トレハロース、２％圧ペントウモロコシ粉末、０．５％リン酸二水素カリウム、０．１％リン酸水素二カリウム、０．０５％硫酸マグネシウムとなるように各成分を６００ｍＬのイオン交換水と混合し、１２０℃で２０分間オートクレーブ処理して、添加用液体培地とした。【００８３】
（５）追加培養の開始
実施例３−（３）に記載の培養開始後１４８日目の培養物を、スパーテルで細断し（細断物の長径が１ｃｍ以下程度）、実施例３−（４）−３に記載の添加用固形培地全量と混合した後で、実施例３−（４）−２に記載の培養物をのせるゲルの上にのせ、中央に穴（ゲル表層から約１ｃｍ、直径約５ｃｍ）をスパーテルで形作った。その上面に、実施例３−（４）−４に記載の添加用液体培地５２０ｍＬを添加し、２０℃で培養を開始した。なお、培養開始後、およそ２週間に１回流水ポンプを用いて、１回当り１００秒吸引して培養物容器内の空気を新しい空気と置換した。【００８４】
（６）培養経過
追加培養開始後、菌糸が伸び始め、上記の培養物をのせるゲルと添加用固形培地との間の接触部分から上方に向かって旺盛に菌糸が噴き出し始めた。【００８５】
実施例４
（１）種菌の調製
２％トレハロース、２％グルコース、０．１％酵母エキスＮＴ、０．１％ハイチオンエキス、０．０２％Ｌ−オルニチン、０．３％リン酸二水素カリウム、０．０５％硫酸マグネシウム、０．０２５％ケルコゲル、２．５ｐｐｍクエン酸銅、２．５ｐｐｍフマル酸鉄、０．５ｐｐｍ塩化マンガン、及び０．５ｐｐｍ乳酸亜鉛となるように各成分を１５０ｍＬのイオン交換水と混合したものを、バッフル３個付の５００ｍＬの三角フラスコに入れ、１２０℃で２０分間オートクレーブ処理した。０．０２％となるようα−ピネンを添加した培地に、マツタケ０１１７株の平板培養菌糸をくり抜いたもの（直径６ｍｍ）２個を接種し、２５℃、８０ｒｐｍで６４日間振とう培養した。この培養物全量を、液体培地（０．１％グルコース、０．１％酵母エキスＮＴ、０．１％ハイチオンエキス、０．３％リン酸二水素カリウム、０．０５％硫酸マグネシウム、２％圧ペントウモロコシ粉末、２．５ｐｐｍクエン酸銅、２．５ｐｐｍフマル酸鉄、０．５ｐｐｍ塩化マンガン、０．５ｐｐｍ乳酸亜鉛となるように各成分を８００ｍＬのイオン交換水と混合したものを、スターラーバーを入れた２リットルの三角フラスコに入れ、１２０℃で２０分間オートクレーブ処理したもの）に接種し、２０℃、５００ｒｐｍで２４日間培養し、種菌とした。【００８６】
（２）菌床培地の調製
約６ヶ月堆積したスギオガクズ乾燥物１リットル（１５６ｇ）、圧ペントウモロコシ粉末１５０ｇ、及びオートミール粉末５０ｇを混合した。この混合物に、２９４ｍＬのイオン交換水、５０ｇのマルトース（固形培地中の濃度７．１％）及び１ｍＬの４種の金属塩の混合液（０．０５％クエン酸銅、０．０５％フマル酸鉄、０．０１％塩化マンガン及び０．０１％乳酸亜鉛）を混合したものを添加、かく拌し、１２５℃で２時間オートクレーブ処理した。【００８７】
（３）培養の開始
実施例４−（２）に記載の菌床培地のオートクレーブ処理物に、実施例４−（１）に記載の種菌を３３０ｍＬ接種し、２０℃で培養を開始した。なお、培養開始後１２９日目、１６１日目、及び１７５日目に流水ポンプで１００秒間容器内の空気を交換した。培養開始後１８５日目でマツタケ菌糸はほぼ培地全体に蔓延した。【００８８】
（４）−１  培養物をのせるゲルの調製
０．３％酵母エキスＮＴ、０．２％ハイチオンエキス、０．０５％Ｌ−グルタミン、０．５％リン酸二水素カリウム、０．１％リン酸水素二カリウム、０．０５％硫酸マグネシウム、１％ケルコゲルとなるように各成分を１．５リットルのイオン交換水と混合したもの、及び１５０ｇのグルコースを１５０ｍＬの水に溶解したものをそれぞれ１２０℃で２０分間オートクレーブ処理し、５リットルのビーカー内で混合し、固化させて、培養物をのせるゲルとした。【００８９】
（４）−２  添加用固形培地の調製
約６ヶ月堆積したスギオガクズ乾燥物２００ｍＬ（３０ｇ）、圧ペントウモロコシ６０ｇ、圧ペントウモロコシ粉末６０ｇ、オートミール（未粉砕物）６０ｇ、及びオートミール粉末３０ｇを混合した。この混合物に、１５０ｍＬのイオン交換水、０．２ｇの酵母エキスＮＴ、０．１ｇのハイチオンエキス、０．１ｇのポリペプトンＳ、１ｇのリン酸二水素カリウム、０．２ｇのリン酸水素二カリウム、及び０．１ｇの硫酸マグネシウムを混合したものを添加、かく拌し、１２０℃で２時間オートクレーブ処理して、添加用固形培地とした。【００９０】
（４）−３  添加用液体培地１、２の調製
０．２％酵母エキスＮＴ、０．１％ハイチオンエキス、０．０５％Ｌ−グルタミン、０．５％リン酸二水素カリウム、０．１％リン酸水素二カリウム、及び０．０５％硫酸マグネシウムとなるように各成分を５００ｍＬのイオン交換水と混合したもの、及び５０ｇのグルコースを５０ｍＬの水に溶解したもの（グルコース濃度約３７％）を、それぞれ１２０℃で２０分間オートクレーブ処理し、混合して、添加用液体培地１とした。【００９１】
また、１％グルコース、０．２％酵母エキスＮＴ、０．１％ハイチオンエキス、０．０２％Ｌ−オルニチン、０．５％リン酸二水素カリウム、０．１％リン酸水素二カリウム、０．０５％硫酸マグネシウム、５ｐｐｍクエン酸銅、５ｐｐｍフマル酸鉄、１ｐｐｍ塩化マンガン、及び１ｐｐｍ乳酸亜鉛となるように各成分を５００ｍＬのイオン交換水と混合し、１２０℃で２０分間オートクレーブ処理して、添加用液体培地２とした。【００９２】
（５）追加培養の開始
実施例４−（３）に記載の培養開始後１８５日目の培養物をスパーテルで細断（細断物の長径が１ｃｍ以下程度）し、実施例４−（４）−２に記載の添加用固形培地全量と混合した後で、実施例４−（４）−１に記載の培養物をのせるゲルの上にのせ、中央に穴（ゲル表層から約１ｃｍ、直径約５ｃｍ）をスパーテルで形作った。その上面に、実施例４−（４）−３に記載の添加用液体培地１を４７０ｍＬ添加し、２０℃で培養を開始した。培養開始とともに、１分間あたり５ｍＬの無菌空気を送り始めた。【００９３】
（６）培養経過
追加培養開始後、白色の菌糸が伸び始めるとともに、上記の培養物をのせるゲルと添加用固形培地との間の接触部分から上方に向かって、黄色から黄褐色の厚い菌糸層が形成され始めた。追加培養開始後１３３日目に上記の厚い菌糸層から米粒様の子実体原基の菌糸塊が突出しているのが見られた。その後、同様の菌糸塊が多数形成された。しかしながら、形成された原基が生育して容器壁に接するようになると、その形が崩れて未分化の菌糸の様になるので、追加培養開始後１９０日目に培養物を５リットルのビーカーから取り出し１０リットルのビーカーに移した。その際、培養物中央穴に実施例４−（４）−３に記載の添加用液体培地２を２２０ｍＬ添加した。その後、更に３４日間培養を継続したところ、子実体原基は大きくなっても形が崩れず、いくつかの原基は直径１ｃｍ以上の大きさに生育した。【００９４】
実施例５
（１）種菌の調製
２％グルコース、０．０５％ニッピペプチド（ニッピ社製、コラーゲンペプチド）、０．０５％スーパーミーストパウダーＡ−００２（アサヒフードアンドヘルスケア社製）、０．０５％リン酸二水素カリウム、０．０５％硫酸マグネシウム、及び０．０４％ケルコゲルとなるように各成分を１リットルのイオン交換水と混合したものを、スターヘッドかく拌子を入れた２リットルの三角フラスコに入れ、１２０℃で２０分間オートクレーブ処理した。この培地に、天然産のマツタケ子実体から分離した２００６−０３５株の平板培養菌糸をくり抜いたもの（直径６ｍｍ）１０個を接種した。２５℃、２４日静置後、約１０００ｒｐｍで１日かく拌した後に、約２００ｒｐｍで更に２４日かく拌培養した。【００９５】
この培養物１リットルを、液体培地（２％グルコース、０．０５％ニッピペプチド、０．０５％スーパーミーストパウダーＡ−００２、０．０５％リン酸二水素カリウム、０．０５％硫酸マグネシウム、０．０４％ケルコゲル、及び０．０２％サラダ油となるように各成分を１２０リットルのイオン交換水と混合し、容量２００リットルのジャーファーメンターに入れ、１２０℃で２０分間オートクレーブ処理したもの）に接種し、２５℃、１００ｒｐｍ、通気量２５リットル／分で２１日間培養して、種菌とした。【００９６】
（２）菌床培地の調製
約６ヶ月堆積したスギオガクズ、圧ペントウモロコシ、オートミール、ヤマゴケ（中国産、三信社輸入）を乾燥重量比で７：８：８：１の比で混合し、水分が６５％となるように水道水を添加、かく拌し、容量１．１リットルのポリプロピレン製のボトル上部まで詰め込み、ステンレス製の棒により容器底から約２ｃｍの深さの穴（直径約１ｃｍ）を５個あけ、９８℃で１時間、１１８℃で３０分、その後加熱をとめて６０分オートクレーブ処理し、固形培地とした。【００９７】
（３）培養の開始
実施例５−（２）に記載の菌床培地のオートクレーブ処理物に、実施例５−（１）に記載の種菌を２５ｍＬ接種し、２１℃で培養を開始した。培養開始後２３６日目に、マツタケ菌糸は培地のほぼ半分に蔓延した。【００９８】
（４）添加用液体培地の調製
以下の４種類の溶液を調製した。
溶液１：０．９％酵母エキスＮＴ、０．３％ハイチオンエキス、０．４％リン酸二水素カリウム、０．１％リン酸水素二カリウム、及び０．０５％硫酸マグネシウムとなるように各成分を５００ｍＬのイオン交換水に溶解した。
溶液２：４０ｇの果糖を３３３ｍＬのイオン交換水に溶解した（果糖濃度は約１１％）。
溶液３：３０ｇのグルコースを１６７ｍＬのイオン交換水に溶解した（グルコース濃度は約２５％）。
溶液４：４種の金属塩の混合液（０．０５％クエン酸銅、０．０５％フマル酸鉄、０．０１％塩化マンガン、０．０１％乳酸亜鉛）１０ｍＬを１００ｍＬのイオン交換水で希釈した。【００９９】
上記の溶液１〜４を個別に１２０℃で２０分間オートクレーブ処理した後で、混合し、添加用液体培地とした。【０１００】
（５）追加培養の開始
実施例５−（３）に記載の培養開始後２３６日目の培養物の容器を切断除去した後で、培養物の上部４ｃｍを切断除去し、５リットルのビーカーに入れた。実施例５−（４）に記載の添加用液体培地７８０ｍＬをビーカー底に注入し、２０℃にて１分間あたり５ｍＬの無菌空気で通気しながら追加培養を開始した。【０１０１】
（６）培養経過
培養開始後６日目に培養物表層から肉眼で観察可能な菌糸が噴き出し始め、添加用液体培地を加えない場合と比較してはるかに密な菌糸塊となった。【０１０２】
参考例Ａ
（１）液体培地の調製
２％グルコース、２％果糖、０．１％酵母エキスＮＴ、０．１％ハイチオンエキス、０．１％コーンスティープリカー、０．１％ポリペプトンＳ、０．５％リン酸二水素カリウム、及び０．０５％硫酸マグネシウムとなるように各成分を１５０ｍＬのイオン交換水に溶解し、３個のバッフル付５００ｍＬ三角フラスコに入れ、１２０℃、２０分間処理した。天然産のマツタケ子実体から分離したマツタケ菌株０１１７株の平板培養菌糸（培地組成：５％ハローデックス、０．１％酵母エキスＮＴ、０．１％ハイチオンエキス、０．２％ポリペプトンＳ、０．３％リン酸二水素カリウム、及び０．６％ケルコゲル）からカップドロッパーを用いて培養物片（直径６ｍｍ）を抜き出し、得られた培養物片３つを上記液体培地に接種し、２５℃、８０ｒｐｍで振とう培養を開始した。【０１０３】
（２）培養経過
培養開始後３０日を経過しても菌糸の増殖は確認できなかった。【０１０４】
実施例６
（１）種菌の調製
マツタケ菌株としてマツタケ００２１株を使用すること以外は、実施例５−（１）と同様にして種菌を調製した。【０１０５】
（２）菌床培地の調製
実施例５−（２）と同様に菌床培地のオートクレーブ処理物を調製した。【０１０６】
（３）培養の開始
実施例６−（２）に記載の菌床培地のオートクレーブ処理物に、実施例６−（１）に記載の種菌を５０ｍＬ接種し、２１℃で培養を開始した。培養開始後３１７日目でマツタケ菌糸はほぼ培地全体に蔓延した。【０１０７】
（４）添加用液体培地１〜３の調製
３％グルコース、０．１％リン酸二水素カリウム、及び０．０５％硫酸マグネシウムとなるように各成分を３００ｍＬのイオン交換水に溶解し、４種の金属塩の混合液（０．０５％クエン酸銅、０．０５％フマル酸鉄、０．０１％塩化マンガン、及び０．０１％乳酸亜鉛）５ｍＬと混合し、１２０℃で２０分間オートクレーブ処理して、添加用液体培地１とした。【０１０８】
１％ケルコゲル３００ｍＬ（イオン交換水に溶解した）に、４種の金属塩の混合液（０．０５％クエン酸銅、０．０５％フマル酸鉄、０．０１％塩化マンガン、及び０．０１％乳酸亜鉛）３ｍＬ及びグルコース３００ｇを混合し（グルコース濃度は約５９％）、１２０℃で２０分間オートクレーブ処理して、添加用液体培地２とした。【０１０９】
２００ｍＬのイオン交換水に１００ｇのグルコースを溶解し（グルコース濃度は約３７％）、１２０℃で２０分間オートクレーブ処理して、添加用液体培地３とした。【０１１０】
（５）追加培養の開始
実施例６−（３）に記載の培養開始後３１７日目の培養物の容器を切断除去し、培養物を２リットルのビーカーに倒置して入れ、実施例６−（４）に記載の添加用液体培地１  ３００ｍＬをビーカー底に注入し、２０℃で追加培養を開始した。【０１１１】
（６）培養経過
培養開始後、すぐに培養物表層から菌糸が旺盛に噴き出した。培養開始後４５日目にビーカー内の液体培地が培養物に総て吸収されたので、実施例６−（４）に記載の添加用液体培地２  ２００ｍＬをビーカー底に注入し、２０℃で培養を継続した。その後３回、実施例６−（４）に記載の添加用液体培地３をビーカー底に注入した（培養開始後１２０日目に６０ｍＬ、１４７日目に４０ｍＬ、及び１６９日目に４０ｍＬ）。培養物から噴き出した菌糸層は極めて厚く、菌床培地の一段階培養物と比べるとはるかに顕著であった。【０１１２】
参考例Ｂ
（１）ゲルの調製
０．１％酵母エキスＮＴ、０．１％ハイチオンエキス、０．３％リン酸二水素カリウム、０．１％リン酸水素二カリウム、０．０５％硫酸マグネシウム、０．０２５％ケルコゲル、２．５ｐｐｍクエン酸銅、２．５ｐｐｍフマル酸鉄、０．５ｐｐｍ塩化マンガン、０．５ｐｐｍ乳酸亜鉛となるように各成分を１．５リットルのイオン交換水に混合したものに７５０ｇのグルコースを溶解させ（グルコース濃度は約３７％）、そのうち５００ｍＬを３リットルのビーカーに入れ、５ｇのケルコゲルを添加した。残りの１４６０ｍＬを３リットルの三角フラスコに入れ、１４．６ｇのケルコゲルを添加した、どちらの容器も１２２℃で２０分間オートクレーブ処理した後で、室温で放冷し、ゲルを固化させた。【０１１３】
（２）追加培養の開始
実施例６−（３）に記載の培養開始後３１７日目の培養物と同様に調製した培養物の容器を切断除去し、培養物を参考例Ｂ−（１）に記載のゲル入りの３リットルのビーカーに入れ、培養物と容器の隙間に、参考例Ｂ−（１）に記載の３リットルの三角フラスコで作製したゲルをスパーテルでほぐしたものを全量入れ、２０℃で追加培養を開始した。【０１１４】
（３）培養経過
培養開始後、培養物は変化せず、２８日経過後も変化しなかった。【０１１５】
一方、実施例６では、他の培地成分とは別に殺菌し、本参考例と同一のグルコース濃度を有するグルコース水溶液を５０日以上に渡ってマツタケの培養物に添加したが、菌糸はその間旺盛な生長を続けた。【０１１６】
すなわち、グルコースを単独あるいは窒素源非含有の水溶液の状態で別殺菌することによって、高濃度グルコースでのマツタケ菌糸の旺盛な生長がはじめて可能となった。【０１１７】
実施例７  マツタケ培養菌床の調製
使用する菌株をマツタケ００２１株とする以外は、実施例５−（１）、（２）及び（３）と同様に種菌の調製、菌床培地の調製、及び培養の開始を行った。培養開始後３６０日目でマツタケ菌糸は培地のほぼ全体に蔓延した。【０１１８】
実施例８
（１）種菌の調製
２％グルコース、２％圧ペントウモロコシ粉末、０．１％酵母エキスＮＴ、０．１％ハイチオンエキス、０．１％コーンスティープリカー、０．０２％Ｌ−オルニチン、０．３％リン酸二水素カリウム、０．０５％硫酸マグネシウム、２．５ｐｐｍクエン酸銅、２．５ｐｐｍフマル酸鉄、０．５ｐｐｍ塩化マンガン、０．５ｐｐｍ乳酸亜鉛、及び２％寒天からなる平板培地（１２０℃で２０分間オートクレーブ処理した後で、室温で固化させたもの）に、マツタケ００２１株の平板培養菌糸をくり抜いたもの（直径６ｍｍ）を１個を接種し、２０℃、９０日間培養し、種菌とした。【０１１９】
（２）下層の培地の作製、種菌の接種及び前培養の開始
前記実施例８−（１）で使用した平板培地と同一の培地組成となるように各成分を５００ｍＬのイオン交換水に混合したものを３リットルの三角フラスコに入れ、１２０℃で２０分間オートクレーブ処理し、室温で固化させて、下層の培地とした。実施例８−（１）に記載の種菌をくり抜き（直径４４ｍｍ）、を下層の培地に接種し、２５℃で前培養を開始した。【０１２０】
（３）上層の培地、添加用液体培地１の調製、添加、及び本培養の開始
約６ヶ月堆積したスギオガクズ乾燥物０．８リットル（１１６ｇ）、圧ペントウモロコシ粉末１５０ｇ、オートミール粉末１５０ｇ、及び実施例７で調製したマツタケ培養菌床の掻きだし物１８０ｇを混合した。この混合物に、３０５ｍＬのイオン交換水、２０ｇのトレハロース、２０ｇのマルトース、２０ｇのマンニトール、及び３ｍＬの４種の金属塩の混合液（０．０５％クエン酸銅、０．０５％フマル酸鉄、０．０１％塩化マンガン、及び０．０１％乳酸亜鉛）の混合物を添加、かく拌し、１２０℃で１２０分間オートクレーブ処理して、上層の培地とした。【０１２１】
０．５％グルコース、０．１％酵母エキスＮＴ、０．１％ハイチオンエキス、０．０２％Ｌ−オルニチン、０．２％リン酸二水素カリウム、０．０５％硫酸マグネシウム、０．０２５％ケルコゲル、５ｐｐｍクエン酸銅、５ｐｐｍフマル酸鉄、１ｐｐｍ塩化マンガン、及び１ｐｐｍ乳酸亜鉛となるように各成分を５００ｍＬのイオン交換水と混合したものを、１２０℃で１２０分間オートクレーブ処理して、添加用液体培地１とした。【０１２２】
実施例８−（２）に記載の培養物を７０日培養した後で、上記の上層の培地、更に上記の添加用液体培地１を添加し、２０℃で本培養を開始した。本培養開始後４５日目から、流水ポンプを用いておよそ２週間に１回のペースで１回あたり６０秒間吸引することによって培養物容器内の空気を新しい空気と置換した。【０１２３】
（４）添加用液体培地２の調製及び添加
７％トレハロース、０．１％酵母エキスＮＴ、０．１％ハイチオンエキス、０．０２％Ｌ−オルニチン、０．０２％Ｌ−グルタミン、０．０２％Ｌ−メチオニン、０．３％リン酸二水素カリウム、０．１％リン酸水素二カリウム、及び０．０５％硫酸マグネシウムとなるように各成分を２００ｍＬのイオン交換水に混合し、１２０℃で２０分間オートクレーブ処理して、添加用液体培地２とした。【０１２４】
実施例８−（３）に記載の培養物の本培養開始後１１３日目に、実施例８−（４）に記載の添加用液体培地２を添加し、２０℃で培養を更に継続した。【０１２５】
本培養開始後２０３日目から２４１日目にかけて、２５℃で培養を行った。本培養開始後２２５日目に、上層の培地のうちで菌糸がまだ蔓延していない部分を除去した。【０１２６】
（５）培養経過
本培養開始後２４１日目に、約２０個のマツタケ子実体原基が形成されたことを確認し、培養温度を１９℃とした。その後、子実体原基は徐々に大きく生育し、本培養開始後２６５日目に最大で２ｍｍ程度の直径を有する子実体原基が得られた。同日、０．１％となるようにハイポネックス微粉（ハイポネックスジャパン社製）をイオン交換水に溶解し、無菌ろ過したもの２７ｍＬを添加した。本培養開始後２６６日目に更に５０ｍＬの上記溶液を添加し、２６７日目に培養温度を１５℃とした。２６８日目に更に１５ｍＬの同溶液を添加した。本培養開始後２７２日目には、子実体原基の直径は最大で３ｍｍ程度となった。２７６日目では、直径は３．７ｍｍほどであった。【０１２７】
実施例９
（１）種菌の調製
マツタケ００４４株を使用する以外は、実施例８−（１）と同様に種菌を調製した。【０１２８】
（２）下層の培地の作製、種菌の接種及び前培養の開始
実施例８−（２）と同様に下層の培地の作製、種菌の接種及び前培養を実施した。【０１２９】
（３）上層の培地、添加用液体培地１の調製、添加、及び本培養の開始
約６ヶ月堆積したスギオガクズ乾燥物１リットル（１４５ｇ）、圧ペントウモロコシ粉末１５０ｇ、オートミール粉末５０ｇ、及びホンシメジ子実体（タカラバイオ社製）乾燥粉末２０ｇを混合した。この混合物に、３０５ｍＬのイオン交換水、２０ｇのトレハロース、２０ｇのマルトース、２０ｇのマンニトール、及び２ｍＬの４種の金属塩の混合液（０．０５％クエン酸銅、０．０５％フマル酸鉄、０．０１％塩化マンガン、及び０．０１％乳酸亜鉛）の混合物を添加、かく拌し、１２０℃で１２０分間オートクレーブ処理し、上層の培地とした。【０１３０】
また、０．５％グルコース、０．１％酵母エキスＮＴ、０．１％ハイチオンエキス、０．０２％Ｌ−オルニチン、０．３％リン酸二水素カリウム、０．０５％硫酸マグネシウム、０．０２５％ケルコゲル、５ｐｐｍクエン酸銅、５ｐｐｍフマル酸鉄、１ｐｐｍ塩化マンガン、及び１ｐｐｍ乳酸亜鉛となるように各成分を５００ｍＬのイオン交換水と混合し、１２０℃で１２０分間オートクレーブ処理し、添加用液体培地１とした。【０１３１】
実施例９−（２）に記載の培養物を６６日間培養した後で、上記の上層の培地、更に上記の添加用液体培地１を添加し、２０℃で本培養を開始した。本培養開始後４５日目から流水ポンプを用いて、およそ２週間に１回のペースで１回あたり６０秒間吸引することによって培養物容器内の空気を新しい空気と置換した。【０１３２】
（４）添加用液体培地２の調製、及び添加
７％トレハロース、０．１％酵母エキスＮＴ、０．１％ハイチオンエキス、０．０２％Ｌ−オルニチン、０．０２％Ｌ−グルタミン、０．０２％Ｌ−メチオニン、０．３％リン酸二水素カリウム、０．１％リン酸水素二カリウム、及び０．０５％硫酸マグネシウムとなるように各成分を２２０ｍＬのイオン交換水と混合し、１２０℃で２０分間オートクレーブ処理し、添加用液体培地２とした。【０１３３】
実施例９−（３）に記載した培養物の本培養開始後１１７日目に、上記の添加用液体培地２を添加し、２０℃で培養を更に継続した。【０１３４】
本培養開始後２０７日目から２４４日目にかけて、２５℃で培養を行った。本培養開始後２４５日目から１９℃で培養した。本培養開始後２６３日目に、菌糸がまだ蔓延していない部分の上層の培地を除去した。【０１３５】
（５）スギオガクズの調製
約６ヶ月堆積したスギオガクズ５００ｇ及び７．５リットルのイオン交換水を混合し、１００℃、１時間処理し、目の開き０．３ｍｍのざるを用いてろ過し、残渣を得た。得られた残渣に７．５リットルのイオン交換水を混合し、１００℃、１時間処理し、目の開き０．３ｍｍのざるを用いてろ過し残渣を得る工程を２回繰り返し、残渣を得た。得られた残渣に７．５リットルのイオン交換水を混合した後で、室温で、１時間かく拌し、目の開き０．３ｍｍのざるを用いてろ過し残渣を得る工程を２回繰り返し、残渣を得た。得られた残渣を乾燥させて、乾燥洗浄スギオガクズを得た。
乾燥洗浄スギオガクズ３１ｇを１２０℃で１２０分間オートクレーブ処理したもに、０．１％となるようにハイポネックス微粉をイオン交換水に溶解し、無菌ろ過したものを７０ｍＬ添加し、培養物上面を覆うためのスギオガクズとした。【０１３６】
（６）培養経過
本培養開始後２６６日目に、マツタケ子実体原基の形成が確認され、その後、原基は徐々に大きく生育し、本培養開始後２６９日目に子実体原基１７個が観察され、その直径は最大で約１ｍｍ程度であった。【０１３７】
本培養開始後２７１日目に、実施例９−（５）に記載のスギオガクズで培養物の上面を覆い、培養温度を１５℃とした。本培養開始後２８３日目に培養物上面を覆ったスギオガクズを除去した。２６９日目に確認された原基は見えなくなっていたが、２９０日目に多数の原基が再び形成された。本培養開始後３０１日目で、最大の原基は直径約２．２ｍｍであった。【０１３８】
実施例１０
（１）種菌の調製
０．１５％酵母エキスＮＴ、０．１５％ハイチオンエキス、０．３％リン酸二水素カリウム、０．１％リン酸水素二カリウム、０．０５％硫酸マグネシウム、１％圧ペントウモロコシ粉末、１％オートミール粉末、２．５ｐｐｍクエン酸銅、２．５ｐｐｍフマル酸鉄、０．５ｐｐｍ塩化マンガン、及び０．５ｐｐｍ乳酸亜鉛となるように各成分を８００ｍＬのイオン交換水と混合し、スターラーバーを入れた２リットルの三角フラスコに入れ、１２０℃で２０分間オートクレーブ処理した。この培地に、８ｇのグルコースを８０ｍＬのイオン交換水に溶解し１２０℃で２０分間オートクレーブ処理したものを混合して、種菌用培地とした。この種菌用培地に、マツタケ２００６−０５１株の平板培養菌糸をくり抜いたもの（直径６ｍｍ）９個を接種し、２０℃、５００ｒｐｍで４１日間かく拌培養し、種菌とした【０１３９】
（２）下層の培地の作製、種菌の接種及び前培養の開始
５％トレハロース、５％マンニトール、０．２％酵母エキスＮＴ、０．２％ハイチオンエキス、０．２％酵母アブルーム（興人社製）、０．１％コーンスティープリカー、０．５％リン酸二水素カリウム、０．１％リン酸水素二カリウム、０．０５％硫酸マグネシウム、１％ケルコゲル、５％マツタケ菌床培養物の掻きだし物（実施例７で調製）、２．５ｐｐｍクエン酸銅、２．５ｐｐｍフマル酸鉄、０．５ｐｐｍ塩化マンガン、及び０．５ｐｐｍ乳酸亜鉛となるように各成分を２リットルのイオン交換水に混合したものを５リットルの三角フラスコに入れ、１２０℃で２０分間オートクレーブ処理し、室温で固化させて、下層の培地とした。実施例１０−（１）に記載の種菌１０ｍＬを下層の培地に接種し、２５℃で前培養を開始した。【０１４０】
（３）上層の培地、添加用液体培地１の調製、添加、及び本培養の開始
約６ヶ月堆積したスギオガクズ乾燥物１００ｍＬ（１７ｇ）、圧ペントウモロコシ粉末３０ｇ、及びオートミール（未粉砕物）１００ｇを混合した。この混合物に、７０ｍＬのイオン交換水、７ｇのトレハロース、１ｇの酵母エキスＮＴ、０．５ｇのリン酸二水素カリウム、及び０．１ｇのリン酸水素二カリウムの混合物を添加、かく拌し、１２０℃で１２０分間オートクレーブ処理し、上層の培地とした。
また、トレハロース７ｇ、酵母エキスＮＴ１ｇ、リン酸二水素カリウム０．５ｇ、及びリン酸水素二カリウム０．１ｇを１４０ｍＬのイオン交換水に混合し、１２０℃で２０分間オートクレーブ処理し、添加用液体培地１とした。【０１４１】
実施例１０−（２）に記載の培養物を６６日培養した後で、上記の上層の培地、更に上記の添加用液体培地１を添加し、２０℃で本培養を開始した。なお、本培養開始後３６日目から流水ポンプを用いておよそ２週間に１回のペースで１回あたり１００秒間吸引することによって、培養物容器内の空気を新しい空気と置換した。【０１４２】
（４）添加用液体培地２の調製、及び添加
５％トレハロース、０．０４％酵母エキスＮＴ、０．０４％ハイチオンエキス、０．０１％Ｌ−オルニチン、０．０１％Ｌ−グルタミン、０．４％リン酸二水素カリウム、０．１％リン酸水素二カリウム、０．０５％硫酸マグネシウム、５ｐｐｍクエン酸銅、５ｐｐｍフマル酸鉄、１ｐｐｍ塩化マンガン、及び１ｐｐｍ乳酸亜鉛となるように各成分を２００ｍＬのイオン交換水に混合し、１２０℃で２０分間オートクレーブ処理して、添加用液体培地２とした。【０１４３】
実施例１０−（３）に記載した培養物の本培養開始後１８８日目に、上記の添加用液体培地２を５５ｍＬ添加し、２０℃で培養を更に継続した。【０１４４】
（５）培養経過
本培養開始後１９０日目に、マツタケ子実体原基が多数観察されたが、最大のものでその直径は３．５ｍｍ程度であった。また、上層培地表面のオートミール粒上及び粒周辺において特に子実体原基の密度が高かった。【０１４５】
実施例１１
（１）ｐｒｉＡ遺伝子の探索
シイタケが菌糸から子実体へ移行する際に形成される子実体原基において、ｐｒｉＡ遺伝子の発現は顕著に上昇する〔ジーン（Ｇｅｎｅ）、第１１４巻、第１７３〜１７８頁（１９９２）〕。このシイタケｐｒｉＡ遺伝子と相同性を示す遺伝子がマツタケに存在しているかあるいは保存されているかを探索するために、タカラバイオ社保有のマツタケゲノムのドラフト配列データベースに対して相同性検索を行った。その結果、マツタケゲノム内に高度に保存されているマツタケｐｒｉＡ遺伝子配列を見出した。マツタケｐｒｉＡ遺伝子のシイタケｐｒｉＡ遺伝子との相同性は、アミノ酸配列に翻訳した際の比較において、相同性を示す値として一般に使用されているＥ−ｖａｌｕｅ値が６ｅ−４７であって、Ｓｃｏｒｅ値が１７６であり、非常に高い相同性を有していることを確認した。【０１４６】
次にマツタケにおけるｐｒｉＡ遺伝子の発現変動解析をリアルタイムＰＣＲによって行うために、上記相同性検索で得られた配列を元に複数のプライマーを設計した。配列表の配列番号１で表されるＦプライマー１及び配列表の配列番号２で表わされるＲプライマー１を作製した。【０１４７】
（２）ｒａｓ遺伝子の探索
複数サンプル間で特定の遺伝子の発現変動を比較するために、サンプル間で発現量が一定している事が明らかになっている遺伝子（ハウスキーピング遺伝子という）の発現量で補正を行い、その上で特定の遺伝子の発現変動の評価が必要となる。シイタケの場合、シイタケｒａｓ遺伝子が菌糸から子実体形成期を経て子実体に至るまで一定して発現する事が報告されている〔ジーン（Ｇｅｎｅ）、第１０５巻、第９１〜９６頁（１９９１）〕。そのため、マツタケｐｒｉＡ遺伝子の発現変動を評価するために、シイタケｒａｓ遺伝子と相同性を有する遺伝子がマツタケゲノムに存在しているかあるいは保存されているかを探索するために、実施例１１−（１）に記載の方法と同様に、マツタケゲノムのドラフト配列データベースに対して相同性検索を行った。その結果、マツタケゲノム内に高度に保存されているマツタケｒａｓ遺伝子配列を見出した。マツタケｒａｓ遺伝子のシイタケｒａｓ遺伝子との相同性は、アミノ酸配列に翻訳した際の比較において、相同性を示す値として一般に使用されているＥ−ｖａｌｕｅ値がｅ−５５であって、Ｓｃｏｒｅ値が１２６であり、高い相同性を有していることを確認した。【０１４８】
実施例１１−（１）と同様にして、上記相同性検索で得られた配列を元に複数のプライマーを設計した。配列表の配列番号３で表されるＦプライマー２及び配列表の配列番号４で表されるＲプライマー２を作製した。【０１４９】
（３）菌糸の調製
市販の培地（ポテト・デキストロースカンテン培地「ダイゴ」（日本製薬社製））を用いた平板培地に、別途培養した丹波産のマツタケ子実体から分離した２００６−０７９株の平板培養菌糸をくり抜いたもの（直径６ｍｍ）を接種し、２０℃で培養して、平板培養菌糸を得た。【０１５０】
（４）−１  マツタケ子実体原基の調製−種菌の調製
２％グルコース、０．０５％ニッピペプチド（ニッピ社製、コラーゲンペプチド）、０．０５％スーパーミーストパウダーＡ−００２、０．０５％リン酸二水素カリウム、０．０５％硫酸マグネシウム、及び０．０４％ケルコゲルとなるように各成分を１リットルのイオン交換水と混合し、スターヘッドかく拌子を入れた２リットルの三角フラスコに移し、１２０℃で２０分間オートクレーブ処理した。この培地に、実施例１１−（３）で得た平板培養菌糸をくり抜いたもの（直径６ｍｍ）１０個を接種し、２５℃で２１日静置し、約１０００ｒｐｍで１日かく拌した後で、約２００ｒｐｍで２１日かく拌培養して、種菌とした。【０１５１】
（４）−２  マツタケ子実体原基の調製−菌床培地の調製
約６ヶ月堆積したスギオガクズ、圧ペントウモロコシ、オートミール、及びヤマゴケ（中国産、三信社輸入）を７：８：８：１の乾燥重量比で混合し、水分が６５％となるように水道水を添加、かく拌したものを、容量１．１リットルのポリプロピレン製のボトル５本の上部までそれぞれ詰め込み、ステンレス製の棒により容器底から約２ｃｍの深さの穴（直径約１ｃｍ）を５個あけ、９８℃で１時間、１１８℃で３０分、その後加熱をとめて６０分オートクレーブ処理して、固形培地とした。【０１５２】
（４）−３  マツタケ子実体原基の調製−培養の開始
実施例１１−（４）−２に記載の５本の菌床培地に、実施例１１−（４）−１に記載の種菌をそれぞれ４０ｍＬ接種し、２１℃で培養を開始した。培養開始後３７１日目に、マツタケ菌糸が培地の約７割に蔓延した。【０１５３】
（４）−４  マツタケ子実体原基の調製−原基発生誘導
実施例１１−（４）−３に記載の培養物１本をスパーテルで細断（細断物の長径が１ｃｍ以下程度）し、２リットルのビーカーに移した。その細断物の上に、１５０ｍＬの１０％トレハロース溶液及び１％乾燥酵母エビオス（アサヒフードアンドヘルスケア社製）を含む１％リン酸２水素カリウム溶液１５０ｍＬを添加した（これらの溶液は１２０℃で２０分間オートクレーブ処理済）。更にその上に、実施例１１−（４）−３に記載の別の培養物１本を上記培養物と同様にスパーテルで細断したもの（細断物の長径が１ｃｍ以下程度）を載せ、その上に１５０ｍＬの１０％トレハロース溶液及び１％乾燥酵母エビオスを含む１％リン酸２水素カリウム溶液１５０ｍＬを添加した（これらの溶液は１２０℃で２０分間オートクレーブ処理済）。次に、圧ペントウモロコシ粉末：オートミール：トレハロース：約６ヶ月堆積したスギオガクズが乾燥重量比で１：１：１：１となるように混合したものを１２０℃で１２０分間オートクレーブ処理し、そのうち１００ｇを上記細断物及び各溶液を添加したものの上に添加し、更にその上から、１００ｍＬの１０％トレハロース溶液及び１％乾燥酵母エビオスを含む１％リン酸２水素カリウム溶液１００ｍＬ（これらの溶液は１２０℃で２０分間オートクレーブ処理済）を添加した。その後、１８℃で培養を開始した。【０１５４】
（４）−５  マツタケ子実体原基の調製−培養経過
追加培養開始後、３０日目に培地表面に子実体原基が形成され始めた。その後、５０日目に同様の子実体原基が多数形成され、それぞれが１ｃｍを超え大きく生育した。【０１５５】
（５）ｍＲＮＡの調製
実施例１１−（３）に記載のマツタケ菌糸、実施例１１−（４）−５で得られた子実体原基、及び市販の丹波産マツタケ子実体の３試料を各Ｎ＝２で解析を行うために、各サンプルからｍＲＮＡを調製した。まず、各サンプルを液体窒素にて凍結した状態で乳鉢にて粉状になるまですり潰し、ＲＮＡｉｓｏ（タカラバイオ社製）に添付のプロトコールに従い、全ＲＮＡの抽出を行った。なお、本サンプルには大量の多糖類が含まれていたので、イソプロパノール沈澱操作の際に３Ｍ酢酸ナトリウムをイソプロパノールと同量添加したものを用いた。そのまま全ＲＮＡをＲＴ−ＰＣＲに用いることも可能であったが、高純度なサンプルからより正確なデータを得るために、ＯｌｉｇｏｔｅｘＴＭ−ｄＴ３０＜Ｓｕｐｅｒ＞  ｍＲＮＡ  Ｐｕｒｉｆｉｃａｔｉｏｎ  Ｋｉｔ（タカラバイオ社製）を用いて、上記で抽出した全ＲＮＡからｍＲＮＡの調製を行った。【０１５６】
（６）ｐｒｉＡ遺伝子の発現解析
上記実施例１１−（１）及び（２）で決定したプライマー、及び実施例１１−（５）で調製したｍＲＮＡを用いてリアルタイムＰＣＲによるｐｒｉＡ遺伝子の発現解析を行った。リアルタイムＰＣＲでは、Ｏｎｅ  Ｓｔｅｐ  ＳＹＢＲ  ＰｒｉｍｅＳｃｒｉｐｔ  ＲＴ−ＰＣＲ  Ｋｉｔ（Ｐｅｒｆｅｃｔ  Ｒｅａｌ  Ｔｉｍｅ）（タカラバイオ社製）を用い、添付のプロトコールに従いＲＴ−ＰＣＲ反応液を調製し、Ｔｈｅｒｍａｌ  Ｃｙｃｌｅｒ  Ｄｉｃｅ  Ｒｅａｌ  Ｔｉｍｅ  Ｓｙｓｔｅｍ（タカラバイオ社製）を用いて相対測定を行った。ｒａｓ遺伝子にて補正した相対比較解析において、マツタケｐｒｉＡ遺伝子の発現量は、子実体原基由来サンプルにおいて、菌糸と比較してその発現が約２０倍であり、顕著な上昇が確認できた。また、マツタケ子実体では、菌糸と同程度かそれ以下に発現量が減少していた。【０１５７】
これらの結果は、シイタケにおいてｐｒｉＡ遺伝子が子実体形成期の子実体原基においてのみ高発現するという報告と相関している。測定に用いた子実体原基が菌糸から子実体へと移行する段階にある子実体原基であり、本発明により形成される子実体原基が真のマツタケ子実体原基であることが初めて科学的に証明された。【０１５８】
実施例１２
（１）種菌の調製
実施例５−（１）と同様に種菌を調製した。【０１５９】
（２）菌床培地の調製
実施例５−（２）と同様に菌床培地のオートクレーブ処理物を調製した。【０１６０】
（３）菌床培養１の開始
実施例５−（３）と同様に培養を開始した。培養開始後２１７日目でマツタケ菌糸は培地のほぼ半分に蔓延した。当該培養により得られた培養物をマツタケ菌床培養物とした。【０１６１】
（４）−１  ホンシメジ菌床培養物の凍結乾燥物の調製
実施例３−（４）−１の記載と同様の方法で、培養を約７７日間行い、培地全体に菌糸を蔓延させた子実体原基形成前のホンシメジ菌床培養物を調製した。その後、上記で調製したホンシメジ菌床培養物を掻き出し、凍結乾燥し、得られた乾燥物を粉砕機で粉砕し、ホンシメジ菌床培養物の凍結乾燥物とした。【０１６２】
（４）−２  下層のゲル培地の調製
２．５％トレハロース、２．５％ハローデックス、０．１％酵母エキスＮＴ、０．１％ハイチオンエキス、０．０２％オルニチン塩酸塩、０．０２％グルタミン、０．０２％グルタミン酸、０．０１％メチオニン、０．４％リン酸二水素カリウム、０．１％リン酸水素二カリウム、０．０５％硫酸マグネシウム、０．３％ハイポネックス微粉、１％ケルコゲル、２．５％ホンシメジ菌床培養物の凍結乾燥物（実施例１２−（４）−１で調製）、２．５ｐｐｍクエン酸銅、２．５ｐｐｍフマル酸鉄、０．５ｐｐｍ塩化マンガン、及び０．５ｐｐｍ乳酸亜鉛となるように各成分を１．２リットルのイオン交換水に混合し、５リットルの三角フラスコに入れ、１２０℃で２０分間オートクレーブ処理し、室温で固化させて、下層のゲル培地とした。【０１６３】
（４）−３  下層用及び上層用固形培地の調製
約６ヶ月堆積したスギオガクズ乾燥物２００ｍＬ（２８ｇ）、圧ペントウモロコシ粉末６０ｇ、オートミール（未粉砕物）２００ｇを混合した。この混合物に、１６０ｍＬのイオン交換水、４ｇのトレハロース、４ｇのハローデックス、０．４８ｇのハイポネックス微粉、０．６４ｇのリン酸二水素カリウム、０．１６ｇのリン酸水素二カリウムの混合物、及び１．６ｍＬの４種の金属塩の混合液（０．０５％クエン酸銅、０．０５％フマル酸鉄、０．０１％塩化マンガン、及び０．０１％乳酸亜鉛）を添加、かく拌し、３：１の重量比で分配し、１２０℃で１２０分間オートクレーブ処理して、それぞれを下層用及び上層用固形培地とした。【０１６４】
（４）−４  添加用液体培地１〜３の調製
実施例１２−（４）−１に記載のホンシメジ菌床培養物の凍結乾燥物７．５ｇを３００ｍＬのイオン交換水に混合したものを１２０℃で２０分間オートクレーブ処理し、添加用液体培地１とした。【０１６５】
１％グルコース、０．２％酵母エキスＮＴ、０．１％ハイチオンエキス、０．０２％オルニチン塩酸塩、０．５％リン酸二水素カリウム、０．１％リン酸水素二カリウム、０．０５％硫酸マグネシウム、５ｐｐｍクエン酸銅、５ｐｐｍフマル酸鉄、１ｐｐｍ塩化マンガン、及び１ｐｐｍ乳酸亜鉛となるように各成分をイオン交換水に混合したものを、１２０℃で２０分間オートクレーブ処理し、添加用液体培地２とした。【０１６６】
８％トレハロース、０．５％酵母エキスＮＴ、０．１％ハイチオンエキス、０．１％グルタミン、０．５％リン酸二水素カリウム、０．１％リン酸水素二カリウム、０．０５％硫酸マグネシウム、２．５ｐｐｍクエン酸銅、２．５ｐｐｍフマル酸鉄、０．５ｐｐｍ塩化マンガン、及び０．５ｐｐｍ乳酸亜鉛となるように各成分をイオン交換水に混合したものを、１２０℃で２０分間オートクレーブ処理し、添加用液体培地３とした。【０１６７】
（５）菌床培養２の開始
実施例１２−（４）−２に記載の下層のゲル培地の上に、実施例１２−（４）−３に記載の下層用固形培地をのせた。次に、実施例１２−（３）に記載のマツタケ菌床培養物の上部５ｃｍを切り捨て、切断面から下方へ３ｃｍ分の培養物をスパーテルで掻き出し、上記の下層用固形培地の上部に接種した。この接種物の上に、実施例１２−（４）−３に記載の上層用固形培地をのせ、その上から、実施例１２−（４）−４に記載の添加用液体培地１を２１０ｍＬ添加し、２０℃で培養を開始した。なお、菌床培養２開始後、およそ２週間に１回のペースで流水ポンプを用いて、１回あたり１００秒間吸引することによって培養物容器内の空気を新しい空気と置換した。【０１６８】
（６）培養経過
菌床培養２開始後、白色の菌糸が伸び始め、徐々に下層用及び上層用固形培地に菌糸が回り始めた。菌床培養２開始後９０日目頃に培地水分含量を低下させて菌糸の伸長を停止状態とし、菌床培養２開始後１１９日目に実施例１２−（４）−４に記載の添加用液体培地２を１８０ｍＬ添加し、菌床培養２開始後１３９日目及び１５７日目に実施例１２−（４）−４に記載の添加用液体培地３をそれぞれ１０ｍＬずつ添加し、培地水分含量の上昇による菌糸伸長を再開させた。【０１６９】
菌床培養２開始後１５７日目ぐらいから、菌糸の色が淡黄色となり、マツタケ子実体原基が形成され始めた。菌床培養２開始後２００日目ぐらいで、子実体原基は更に増加したので、菌床培養２開始後２０６日目から夜間の培養温度を１５℃にして、培養を続けた。菌床培養２開始後２２８日目に、子実体原基の一部に細長く生育した状態のものが観察され、菌床培養２開始後２４４日目に、細長く生育した状態のものの上部が大きく広がり、柄部分及び傘部分の分化が確認され、マツタケ幼子実体が得られた。
【産業上の利用可能性】
【０１７０】
本発明により、マツタケの菌床栽培に使用できる菌糸成長の旺盛なマツタケ菌糸の培養方法、当該培養に使用する培地、当該培地を使用するマツタケ子実体の人工栽培方法、マツタケ子実体原基の誘導方法、及びマツタケ子実体原基の形成方法が提供される。またマツタケ子実体原基形成誘導物質としてのオートミールの使用方法が提供され、本発明により、これまで困難であったマツタケ子実体原基形成の再現性良い実施が可能になる。当該培地やこれらの方法は、例えば、マツタケの菌床人工栽培において、極めて有用である。更に本発明により、子実体原基の同定方法が提供され、マツタケの子実体誘導を行う際の菌床培養や培地組成等の条件を遺伝子発現量の変化から科学的に最適化する事が可能になり、本発明はマツタケ子実体の菌床人工栽培の確立に極めて有用である。
【配列表フリーテキスト】
【０１７１】
SEQ ID NO:1 ; Primer F primer 1 to amplify the priA gene.
SEQ ID NO:2 ; Primer R primer 1 to amplify the priA gene.
SEQ ID NO:3 ; Primer F primer 2 to amplify the ras gene.
SEQ ID NO:4 ; Primer R primer 2 to amplify the ras gene.
【配列表】
2009093634000001.app
【国際調査報告】
2009093634.tif 000002
2009093634.tif 000003
2009093634.tif 000004
2009093634.tif 000005
2009093634.tif 000006
2009093634.tif 000007
2009093634.tif 000008